(57)【特許請求の範囲】
【請求項１】
原稿突き当て部に原稿縁を突き当てて原稿をコンタクトガラスに載置し、圧板に設けられた背景板で原稿をコンタクトガラスに押圧して画像を読み取る画像読取装置であって、背景板を圧板に圧板面に沿って移動自在に連結する弾性部材と、背景板を移動させる操作部と、移動した背景板を係止する係止部とを備え、背景板で原稿を押圧した後操作部の操作により背景板を移動して原稿突き当て部に当接させて、原稿縁をコンタクトガラスに密着させることを特徴とする画像読取装置。
【請求項２】
原稿突き当て部に原稿縁を突き当てて原稿をコンタクトガラスに載置し、圧板に設けられた背景板で原稿をコンタクトガラスに押圧して画像を読み取る画像読取装置であって、背景板を圧板に圧板面に沿って移動自在に連結する弾性部材と、背景板で原稿を押圧する際に背景板を原稿突き当て部に当接させる位置に案内するガイドとを備え、ガイドは背景板を原稿突き当て部に当接させた位置で係止することを特徴とする画像読取装置。
【請求項３】
ガイドは、コンタクトガラスを保持する外装カバー又は背景板の一方に設けた係合部であり係合部は傾斜面を備え、他方に設けた被係合部が傾斜面に沿って移動して背景板を原稿突き当て部に向けて移動させることを特徴とする請求項２に記載の画像読取装置。
【請求項４】
ガイドは、原稿突き当て部に設けた傾斜面であり、傾斜面はコンタクトガラスの中央側を下にして傾斜しており、背景板の縁を傾斜面に接触させつつ背景板を原稿突き当て部の端面に案内することを特徴とする請求項２に記載の画像読取装置。
【請求項５】
請求項１〜４の何れかに記載の画像読取装置を設けた画像形成装置。
【発明の詳細な説明】
【技術分野】
【０００１】
本発明は、画像読取装置及び画像読取装置を設けた画像形成装置に関する。
【背景技術】
【０００２】
従来の画像読取装置１００は、図６に示すように、コンタクトガラス１０１上に原稿Ｇを載置して原稿縁ｇを外装カバー１０３の原稿突き当て面１０５に突き当て、原稿Ｇを圧板１０７に設けられている背景板１０９で上から押さえて、原稿Ｇをコンタクトガラス１０１に密着させている。
【０００３】
このような画像読取装置１００では、圧板１０７を閉じたときに原稿突き当て面１０５と背景板１０９とには隙間Ｌが空くように、背景板１０９は圧板１０７に取り付けられており、背景板１０９が原稿突き当て面１０５を有する原稿突き当て部１０３に干渉することを防止している。しかし、原稿突き当て面１０５と背景板１０９との隙間Ｌにある原稿縁ｇを背景板１０９でコンタクトガラス１０１に押さえることができず、原稿縁ｇがカールしている原稿Ｇにおいては、原稿縁ｇが浮き上がりコンタクトガラス１０１に密着できない。その結果、原稿縁ｇの画像が暈けるなどの画像品質の低下を招いていた。
【０００４】
かかる問題に対して特許文献１においては、背景板を圧板に着脱自在に設けて、圧板から取り外した背景板を原稿突き当て面に突き当ててコンタクトガラスに載置し、次に圧板を押下することにより面状ファスナーによる接着で圧板に背景板を取り付けている。このように圧板に背景板を精度良く位置決めして取り付けることにより、背景板で原稿を押圧する際に原稿突き当て面と背景板との間に隙間が生じないようにしている。
【０００５】
【特許文献２】特許第３６７７７２６号公報
【発明の開示】
【発明が解決しようとする課題】
【０００６】
しかしながら、特許文献１においては、機器一台一台に対して圧板に背景板を精度良く位置決めする作業工程を必要とし、更に背景板が着脱自在であるから度重なる圧板の開閉に伴い圧板に対する背景板の位置がずれて、その度に背景板の位置調整が必要になるおそれがある。
【０００７】
本発明は、圧板に対して背景板を位置決めする精度を要求されることなく、コンタクトガラスに載置した原稿の縁がコンタクトガラスから浮き上がることを防止して画像品質を向上させることができる画像読取装置及びこの画像読取装置を設けた画像形成装置を提供することを目的とする。
【課題を解決するための手段】
【０００８】
前記課題を解決する為に、請求項１に記載された発明は、原稿突き当て部に原稿縁を突き当てて原稿をコンタクトガラスに載置し、圧板に設けられた背景板で原稿をコンタクトガラスに押圧して画像を読み取る画像読取装置であって、背景板を圧板に圧板面に沿って移動自在に連結する弾性部材と、背景板を移動させる操作部と、移動した背景板を係止する係止部とを備え、背景板で原稿を押圧した後操作部の操作により背景板を移動して原稿突き当て部に当接させて、原稿縁をコンタクトガラスに密着させることを特徴とする。
【０００９】
請求項２に記載された発明は、原稿突き当て部に原稿縁を突き当てて原稿をコンタクトガラスに載置し、圧板に設けられた背景板で原稿をコンタクトガラスに押圧して画像を読み取る画像読取装置であって、背景板を圧板に圧板面に沿って移動自在に連結する弾性部材と、背景板で原稿を押圧する際に背景板を原稿突き当て部に当接させる位置に案内するガイドとを備え、ガイドは背景板を原稿突き当て部に当接させた位置で係止することを特徴とする。
【００１０】
請求項３に記載された発明は、請求項２に記載された発明において、ガイドは、コンタクトガラスを保持する外装カバー又は背景板の一方に設けた係合部であり係合部は傾斜面を備え、他方に設けた被係合部が傾斜面に沿って移動して背景板を原稿突き当て部に向けて移動させることを特徴とする。
【００１１】
請求項４に記載された発明は、請求項２に記載された発明において、ガイドは、原稿突き当て部に設けた傾斜面であり、傾斜面はコンタクトガラスの中央側を下にして傾斜しており、背景板の縁を傾斜面に接触させつつ背景板を原稿突き当て部の端面に案内することを特徴とする。
【００１２】
請求項５に記載された発明は、請求項１〜４の何れかに記載の画像読取装置を設けた画像形成装置である。
【発明の効果】
【００１３】
本発明によれば、背景板で原稿を押圧する際、背景板を原稿突き当て部に当接する位置に移動させ係止することにより、背景板が原稿突き当て部に当接した状態で原稿を押さえる。従って、背景板を圧板に対して精度良く位置決めしていなくても、背景板で原稿の縁をコンタクトガラスに押さえつけることができる。原稿の縁がコンタクトガラスから浮き上がることなく原稿の全面をコンタクトガラスに密着できるので、画像品質を向上させることができる。しかも、原稿読取時に必要に応じて背景板を移動させて原稿突き当て部に当接させるので圧板に対する背景板の位置決めを精度良くする必要がない。
【発明を実施するための最良の形態】
【００１４】
以下、添付図面を参照して、本発明の第１実施の形態を詳細に説明する。図１（ａ）は本実施の形態に係る画像読取装置の背景板の移動前の状態を示す縦断面図であり、図１（ｂ）は本実施の形態に係る操作部の動作を示す縦断面図であり、図１（ｃ）は本実施の形態に係る画像読取装置の背景板の移動後の状態を示す縦断面図であり、図２は本実施の形態に係る画像読取装置の平面図であり、図３は本実施の形態に係る画像形成装置の概略的構成を示す縦断面図である。
【００１５】
本実施の形態に係る複写機（画像形成装置）１２は、図３に示すように、用紙（記録媒体）６１に記録する記録部１と、用紙６１を供給する給紙部５５と、用紙を排出する排紙部５７と、原稿Ｇの画像を読み取る画像読取装置７とを備え、画像読取装置７で読み取った原稿の画像を記録部１で用紙６１に記録するようになっている。
【００１６】
画像読取装置７は、図１に示すように、コンタクトガラス１と、原稿縁を突き当てる原稿突き当て面３と、原稿突き当て面３を有する原稿突き当て部８と、原稿突き当て部８を設けた外装カバー２と、コンタクトガラス１の上から被せるカバー１１（図３参照）とを備えている。尚、原稿突き当て部８は外装カバー２に設けてあり、コンタクトガラス１上に突設している。原稿突き当て面３は原稿突き当て部８の端面である。
【００１７】
カバー１１は、圧板３２と、背景板４３と、圧板３２と背景板４３とを連結するコイルスプリング（弾性部材）５と、背景板４３を移動させる操作レバー（操作部）４５と、操作レバー４５を係止する面状ファスナー（係止部）４７とを備えている。
【００１８】
圧板３２は、外装カバー２にヒンジ６により開閉自在に支持されており、操作レバー４５の移動を案内する案内孔部４９を備えている。背景板４３は、圧板３２にコイルスプリング５で連結されている。
【００１９】
コイルスプリング５は、一端９ａが背景板４３の上面１３に取り付けられており、他端９ｂが圧板の下面１５に取り付けられており、背景板４３と圧板３２とを連結している。背景板４３と圧板３２との間には、４つの同一のコイルスプリング５が互いに所定の距離離れて配置されており、背景板４３は圧板３２の圧板面に沿って移動自在になっている。
【００２０】
操作レバー４５は、図１に示すように、縦断面がＬ字形状であり、立設する第１部分１７と圧板に沿って延出する第２部分１９とを備えており、第２部分１９は背景板４３から離れる側に延出している。
【００２１】
面状ファスナー４７は、図１（ｂ）に示すように、操作レバー４５の第２部分１９の下面に設けられた被係止部２９と圧板３２の上面に設けられた係止部３１とから構成されている。被係止部２９は係止部３１に当接すると係止されるようになっており、操作レバー４５の第２部分１９を摘んで持ち上げることにより、面状ファスナー４７の係止を解くことができるようになっている。
【００２２】
従って、面状ファスナー４７によって背景板を初期位置（背景板の移動前の位置）３７に係止できると共に、コイルスプリング５の弾性力に抗して操作レバー４５を移動させることにより初期位置３７にある背景板４３を原稿突き当て面３に当接する位置３９に移動させてから面状ファスナー４７により背景板４３を係止できるようになっている。更に、面状ファスナー４７の係止を解けば背景板４３はコイルスプリング５の弾性力により初期位置３７に戻るようになっている。
【００２３】
ここで、本実施の形態に係る複写機１２の動作を、図１及び図３を用いて説明する。原稿端を原稿突き当て面３に突き当てて原稿Ｇをコンタクトガラス１にセットし、圧板３２を閉じる（図１（ａ）参照）。面状ファスナー４７の係止を解いて（図１（ｂ）参照）操作レバー４５を移動させて背景板４３の一端面３３を原稿突き当て面３に当接させる。面状ファスナー４７により背景板を係止してから画像読取装置７の画像読取部５９（図３参照）において原稿５の画像を読み取る（図１（ｃ）参照）。一方、給紙部５５から用紙（記録媒体）６１を供給し、記録部１に搬送して画像を記録し、排紙部５７に排出される（図３参照）。その後原稿Ｇの画像を読み取り、面状ファスナー４７の係止を解いて背景板４３を初期位置３７に戻す。
【００２４】
以下に、本発明の第１実施の形態の作用効果を説明する。本実施の形態によれば、圧板３２で原稿Ｇを押圧してから、背景板４３を操作レバー（操作部）４５により原稿突き当て面３に当接する位置３９に移動させ面状ファスナー（係止部）４７により係止することにより、背景板４３が原稿突き当て面３に当接した状態で原稿Ｇを押さえる。従って、原稿縁ｇを背景板４３でコンタクトガラス１に押さえつけることができるので、原稿Ｇの原稿縁ｇがコンタクトガラス１から浮き上がることなく原稿Ｇの全面をコンタクトガラスに密着させて、画像品質を向上させることができる。
【００２５】
背景板４３を移動させて原稿突き当て面３に当接させるので、背景板４３を原稿突き当て面３に当接させるために圧板３２に対する背景板４３の位置決めを精度良くする必要がない。
【００２６】
面状ファスナー４７により背景板４３を初期位置３７に係止することができるので背景板４３が原稿突き当て部８に干渉することを防止でき、また面状ファスナー４７の係止部３１と被係止部２９の係止を解くことが容易なので背景板４３の係止及び係止の解除を容易に行うことができる。
【００２７】
本実施の形態に係る画像読取装置７を複写機（画像形成装置）１２に設けることができる。
【００２８】
次に、本発明の他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００２９】
以下に、本発明の第２実施の形態について説明する。本実施の形態では、図４（ａ）に示すように、背景板４３はテーパー形状の凸部（被係合部）５３を備え、外装カバー２はテーパー形状の凸部５３を案内する凹部（係合部、ガイド）６９を備えている。
【００３０】
テーパー形状の凸部５３は縦断面が三角形の三角柱であり、圧板３２を閉じる際に、テーパー形状の凸部５３の頂部７３が凹部６９のコンタクトガラス１側の傾斜面７５に接触しつつ図４（ｂ）の部分拡大図の矢印の方向に移動するように、テーパー形状の凸部５３及び凹部６９が背景板及び外装カバーに配置されている。尚、テーパー形状の凸部５３と凹部６９は嵌合するようになっている。
【００３１】
ここで、第２実施の形態の画像読取装置の動作を説明する。圧板３２を閉じていくと、先ずテーパー形状の凸部５３の頂部７３が凹部６９のコンタクトガラス１側の傾斜面７５に接触する（図４（ｂ）参照）。頂部７３は傾斜面７５に接触しつつコイルスプリング５の弾性力に抗して凹部６９の傾斜面７５に沿って移動し、圧板３２を完全に閉じた状態でテーパー形状の凸部５３と凹部６９とが嵌合する（図４（ａ）参照）。一方、背景板４３の一端面３３はテーパー形状の凸部５３の移動に伴い初期位置３７から原稿突き当て面３に当接する位置３９に移動し係止される。その後原稿Ｇの画像を読み取り、圧板３２を開けると背景板４３はコイルスプリング５の弾性力により初期位置３７に戻る。
【００３２】
本実施の形態によれば、背景板４３で原稿Ｇを押圧する際に、背景板４３が、凹部（係合部）６９により原稿突き当て面３に当接する位置３９に案内され係止されて、原稿突き当て面３に当接した状態で原稿Ｇを押さえる。従って、原稿縁ｇを背景板４３でコンタクトガラス１に押さえつけることができるので、原稿縁ｇがコンタクトガラス１から浮き上がることなく原稿Ｇの全面をコンタクトガラス１に密着させて、画像品質を向上させることができる。しかも、簡易な構成で背景板４３を原稿突き当て面３に当接する位置３９に案内できる。
【００３３】
背景板４３が移動して原稿突き当て面３に当接するので、背景板４３を原稿突き当て面３に当接させるために圧板３２に対する背景板４３の位置決めを精度良くする必要がない。
【００３４】
以下に、本発明の第３実施の形態について説明する。本実施の形態では、図５に示すように、原稿突き当て部８は、背景板４３の一端面３３を原稿突き当て面（原稿突き当て部８の端面）３と当接する位置に案内する傾斜面（ガイド）７５を備えている。
【００３５】
傾斜面７５は、原稿突き当て面３の上端７９に連続して、コンタクトガラス１の中央側を下にして傾斜している。背景板４３は、圧板３２を閉じる際に背景板４３の角部８１が傾斜面７５に接触するように圧板３２に対して取り付けられている。
【００３６】
ここで、第３実施の形態の画像読取装置の動作を説明する。圧板３２を閉じていくと、先ず初期位置３７にある背景板４３の角部８１が傾斜面７５に接触して、角部８１は傾斜面７５に接触しつつコイルスプリング５の弾性力に抗して原稿突き当て面３の上端７９に案内される（図５（ｂ）参照）。圧板３２を完全に閉じると、背景板４３の一端面３３は、原稿突き当て面３に当接し、コイルスプリング５の弾性力により原稿突き当て面３側に付勢された状態で係止される（図５（ａ）参照）。その後原稿Ｇの画像を読み取り、圧板３２を開けると背景板４３はコイルスプリング５の弾性力により初期位置３７に戻る。
【００３７】
本実施の形態によれば、第２実施の形態よりも簡易な構成で背景板４３を原稿突き当て面３に当接する位置３９に案内できる。
【００３８】
本発明は、上述した実施の形態に限定されず、その要旨を逸脱しない範囲内において、種々の変形が可能である。
【００３９】
第１実施の形態においては、面状ファスナー（係止部）４７は、係止部３１と被係止部部２９とから構成されているが、これに代えて、操作レバーの４５の第１部分１７の一端面４１及び案内孔部４９に面している圧板３２の一端面５１の一方に磁石を取り付けて、他方に鉄等の磁性材料を取り付けて、操作レバー４５を案内孔部４９に面している圧板の一端面５１に着脱自在にしても良い。
第２実施の形態においては、テーパー形状の凸部５３（被係合部）を背景板４３に設け、且つ、凹部（係合部）６９を外装カバー２に設けているが、これに代えて、テーパー形状の凸部５３を外装カバー２に設けて、且つ、凹部６９を背景板４３に設けても良い。
【００４０】
上記実施の形態においては、コイルスプリング５を弾性部材として用いているが、これに代えて、ゴム製又は樹脂製の板等を用いても良い。
【図面の簡単な説明】
【００４１】
【図１】（ａ）は第１実施の形態に係る画像読取装置の背景板の移動前の状態を示す縦断面図であり、（ｂ）は本実施の形態に係る操作部の動作を示す縦断面図であり、（ｃ）は第１実施の形態に係る画像読取装置の背景板の移動後の状態を示す縦断面図である。
【図２】第１実施の形態に係る画像読取装置の平面図である。
【図３】第１実施の形態に係る画像形成装置の概略的構成を示す縦断面図である。
【図４】（ａ）は第２実施の形態に係る画像読取装置の背景板の移動後の状態を示す縦断面図である。（ｂ）は第２実施の形態に係る画像読取装置の背景板の移動状態を示す縦断面図である。
【図５】（ａ）は第３実施の形態に係る画像読取装置の背景板の移動後の状態を示す縦断面図である。（ｂ）は第３実施の形態に係る画像読取装置の背景板の移動状態を示す縦断面図である。
【図６】従来の画像読取装置の圧板を閉じた状態の縦断面図である。
【符号の説明】
【００４２】
１                コンタクトガラス
２                外装カバー
３                原稿突き当て面（原稿突き当て部の端面）
５                コイルスプリング（弾性部材）
７                画像読取装置
８                原稿突き当て部
１２              画像形成装置
３２              圧板
３３              背景板の一端面（背景板の端面）
３７              初期位置
４３              背景板
４５              操作レバー（操作部）
４７              面状ファスナー（係止部）
５３              テーパー形状の凸部（被係合部）
６９              凹部（係合部）（ガイド）
７５              傾斜面（ガイド）
１００            複写機（画像形成装置）
Ｇ                原稿
ｇ                原稿縁
【図１】
0004852010.tif 000002
【図２】
0004852010.tif 000003
【図３】
0004852010.tif 000004
【図４】
0004852010.tif 000005
【図５】
0004852010.tif 000006
【図６】
0004852010.tif 000007